(57)【要約】【課題】表示画面の周縁部に位置する非表示領域が視認されにくい表示装置及び配列型表示装置を提供する。【解決手段】表示装置１０は、表示領域１１０と非表示領域１２０とを備える表示部１００と、表示部１００の観察者側に設けられ、透光性を有するシート状の光学部材２００とを備える。光学部材２００は、少なくとも非表示領域１２０を被覆する領域の観察者側に、複数の反射層２３２が配列されて設けられている。反射層２３２は、その反射層２３２が設けられた領域に対応する非表示領域１２０内周縁に平行な方向を長手方向として延在し、外周縁側へ向かう方向に配列され、光学部材２００の厚み方向及び反射層２３２の配列方向に平行な断面において、表示部１００側の端部が観察者側の端部よりも光学部材２００の中央側に位置するように傾斜している。この表示装置１０を複数配列して配列型表示装置１とする。【選択図】図４
2018194699.tif 000002
【特許請求の範囲】
【請求項１】
複数の表示装置が隣接して配列された配列型表示装置であって、
前記表示装置は、
映像を表示可能な表示領域と、前記表示領域の外周側に前記表示領域の周縁に沿って少なくとも一部に設けられた映像を表示しない非表示領域とを備える表示部と、
前記表示部の観察者側に設けられ、前記表示領域及び前記非表示領域を被覆し、透光性を有するシート状の光学部材と、
を備え、
前記光学部材は、前記表示領域の法線方向から見て、少なくとも前記非表示領域を被覆する領域であって前記光学部材の厚み方向において観察者側に、複数の反射層が配列されて設けられ、
前記反射層は、
前記表示装置の正面方向から見て、その反射層が設けられた領域に対応する前記非表示領域の前記表示領域側の内周縁に平行な方向を長手方向として延在し、前記内周縁から前記非表示領域の外周縁側へ向かう方向に配列され、
前記光学部材の厚み方向及び前記反射層の配列方向に平行な前記光学部材の断面において、前記表示部側の端部が観察者側の端部よりも前記光学部材の中央側に位置するように傾斜していること、
を特徴とする配列型表示装置。
【請求項２】
請求項１に記載の配列型表示装置において、
前記反射層は、前記光学部材の厚み方向及び前記反射層の配列方向に平行な前記光学部材の断面において、前記表示領域の法線方向に対してなす角度が、前記反射層の配列方向に沿って前記内周縁側から前記外周縁側へ向かうにつれて大きくなること、
を特徴とする配列型表示装置。
【請求項３】
請求項１又は請求項２に記載の配列型表示装置において、
前記反射層は、前記光学部材の厚み方向及び前記反射層の配列方向に平行な前記光学部材の断面において、前記反射層の配列方向の前記内周縁側に凸となるように湾曲していること、
を特徴とする配列型表示装置。
【請求項４】
請求項１から請求項３までのいずれか１項に記載の配列型表示装置において、
前記表示領域は、その法線方向から見た形状が矩形形状であり、
前記光学部材は、観察者側表面であって少なくとも複数の前記反射層を被覆する領域の一部に、観察者側に凸となる複数の単位レンズが前記反射層の長手方向に沿って延在し、前記反射層の配列方向に平行な方向に配列されていること、
を特徴とする配列型表示装置。
【請求項５】
請求項１から請求項４までのいずれか１項に記載の配列型表示装置において、
前記表示装置は、前記光学部材を保持する保持部が前記非表示領域の少なくとも一部に設けられていること、
を特徴とする配列型表示装置。
【請求項６】
映像を表示可能な表示領域と、前記表示領域の外周側に前記表示領域の周縁に沿って少なくとも一部に設けられた映像を表示しない非表示領域とを備える表示部と、
前記表示部の観察者側に設けられ、前記表示領域及び前記非表示領域を被覆し、透光性を有する板状の光学部材と、
を備える表示装置であって、
前記光学部材は、前記表示領域の法線方向から見て、少なくとも前記非表示領域を被覆する領域であって前記光学部材の厚み方向において観察者側に、複数の反射層が配列されて設けられ、
前記反射層は、
前記表示装置の正面方向から見て、その反射層が設けられた領域に対応する前記非表示領域の前記表示領域側の内周縁に平行な方向を長手方向として延在し、前記内周縁から前記非表示領域の外周縁側へ向かう方向に配列され、
前記光学部材の厚み方向及び前記反射層の配列方向に平行な前記光学部材の断面において、前記表示部側の端部が観察者側の端部よりも前記光学部材の中央側に位置するように傾斜していること、
を特徴とする表示装置。
【請求項７】
請求項６に記載の表示装置において、
前記反射層は、前記光学部材の厚み方向及び前記反射層の配列方向に平行な前記光学部材の断面において、前記表示領域の法線方向に対してなす角度が、前記反射層の配列方向に沿って前記内周縁側から前記外周縁側へ向かうにつれて大きくなること、
を特徴とする表示装置。
【請求項８】
請求項６又は請求項７に記載の表示装置において、
前記反射層は、前記光学部材の厚み方向及び前記反射層の配列方向に平行な前記光学部材の断面において、前記反射層の配列方向の前記内周縁側に凸となるように湾曲していること、
を特徴とする表示装置。
【請求項９】
請求項６から請求項８までのいずれか１項に記載の表示装置において、
前記表示領域は、その法線方向から見た形状が矩形形状であり、
前記光学部材は、観察者側表面であって少なくとも複数の前記反射層を被覆する領域の一部に、観察者側に凸となる複数の単位レンズが前記反射層の長手方向に沿って延在し、前記反射層の配列方向に平行な方向に配列されていること、
を特徴とする表示装置。
【請求項１０】
請求項６から請求項９までのいずれか１項に記載の表示装置において、
前記光学部材を保持する保持部が、前記非表示領域の少なくとも一部に設けられていること、
を特徴とする表示装置。
【発明の詳細な説明】
【技術分野】
【０００１】
本発明は、映像を表示する表示装置と、この表示装置を配列した配列型表示装置とに関するものである。
【背景技術】
【０００２】
従来、背面投射型表示装置、プラズマ表示装置、液晶表示装置、有機ＥＬ（Ｅｌｅｃｔｒｏ−Ｌｕｍｉｎｅｓｃｅｎｃｅ）（有機ＬＥＤ（ｌｉｇｈｔ−ｅｍｉｔｔｉｎｇ  ｄｉｏｄｅ））表示装置等、様々な表示装置が開発されている。このような配列型表示装置に関しては、より良好な画像を表示するために、その画面の耐候性や画面の平面性、視認性の向上等が図られている（例えば、特許文献１，２参照）。
また、これらの表示装置を複数配列して大画面化を図った配列型表示装置等も開発されている。
【先行技術文献】
【特許文献】
【０００３】
【特許文献１】特開２００７−１９２９７７号公報
【特許文献２】国際公開第２００８／１４９４４９号
【発明の概要】
【発明が解決しようとする課題】
【０００４】
背面投射型表示装置では、映像を表示する透過型スクリーンを保持するための枠構造が必要であり、プラズマ表示装置、液晶表示装置、有機ＥＬ表示装置では、映像を表示する表示部がガラス製等のパネルであるので、表示部の周縁部にパネルを保持するための枠構造が必要であり、また、表示部の周縁部に各種配線部等も存在している。
このような枠構造や配線部により、各種表示装置において、表示部の周縁部には、映像を表示しない非表示領域が存在する。近年、表示装置の意匠性向上等の観点から、この非表示領域をより峡幅化したいという要望が高まっている。
【０００５】
特に、各種表示装置を配列して大画面化を図った配列型表示装置においては、配列された表示装置間に、映像が表示されない非表示領域による枠状の継目部分（目地部分）ができてしまい、配列型表示装置としての画像の連続性が低下して画質が低下する等の問題がある。
【０００６】
本発明の課題は、表示画面の周縁部に位置する非表示領域が視認されにくい表示装置及び配列型表示装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
第１の発明は、複数の表示装置（１０）が隣接して配列された配列型表示装置であって、前記表示装置は、映像を表示可能な表示領域（１１０）と、前記表示領域の外周側に前記表示領域の周縁に沿って少なくとも一部に設けられた映像を表示しない非表示領域（１２０）とを備える表示部（１００）と、前記表示部の観察者側に設けられ、前記表示領域及び前記非表示領域を被覆し、透光性を有するシート状の光学部材（２００）と、を備え、前記光学部材は、前記表示領域の法線方向から見て、少なくとも前記非表示領域を被覆する領域であって前記光学部材の厚み方向において観察者側に、複数の反射層（２３２）が配列されて設けられ、前記反射層は、前記表示装置の正面方向から見て、その反射層が設けられた領域に対応する前記非表示領域の前記表示領域側の内周縁に平行な方向を長手方向として延在し、前記内周縁から前記非表示領域の外周縁側へ向かう方向に配列され、前記光学部材の厚み方向及び前記反射層の配列方向に平行な前記光学部材の断面において、前記表示部側の端部が観察者側の端部よりも前記光学部材の中央側に位置するように傾斜していること、を特徴とする配列型表示装置（１，２，３，４，５）である。
第２の発明は、第１の発明の配列型表示装置において、前記反射層（２３２）は、前記光学部材（２００）の厚み方向及び前記反射層の配列方向に平行な前記光学部材の断面において、前記表示領域（１１０）の法線方向に対してなす角度が、前記反射層の配列方向に沿って前記内周縁側から前記外周縁側へ向かうにつれて大きくなること、を特徴とする配列型表示装置（２）である。
第３の発明は、第１又は第２の発明の配列型表示装置において、前記反射層（２３２）は、前記光学部材（２００）の厚み方向及び前記反射層の配列方向に平行な前記光学部材の断面において、前記反射層の配列方向の前記内周縁側に凸となるように湾曲していること、を特徴とする配列型表示装置（４）である。
第４の発明は、第１から第３の発明までのいずれかの配列型表示装置において、前記表示領域（１１０）は、その法線方向から見た形状が矩形形状であり、前記光学部材は、観察者側表面であって少なくとも複数の前記反射層（２３２）を被覆する領域の一部に、観察者側に凸となる複数の単位レンズ（２６１）が前記反射層の長手方向に沿って延在し、前記反射層の配列方向に平行な方向に配列されていること、を特徴とする配列型表示装置（３）である。
第５の発明は、第１から第４の発明までのいずれかの配列型表示装置において、前記表示装置（１０）は、前記光学部材を保持する保持部（６００）が前記非表示領域（１２０）の少なくとも一部に設けられていること、を特徴とする配列型表示装置（５）である。
【０００８】
第６の発明は、映像を表示可能な表示領域（１１０）と、前記表示領域の外周側に前記表示領域の周縁に沿って少なくとも一部に設けられた映像を表示しない非表示領域（１２０）とを備える表示部（１００）と、前記表示部の観察者側に設けられ、前記表示領域及び前記非表示領域を被覆し、透光性を有する板状の光学部材（２００）と、を備える表示装置であって、前記光学部材は、前記表示領域の法線方向から見て、少なくとも前記非表示領域を被覆する領域であって前記光学部材の厚み方向において観察者側に、複数の反射層（２３２）が配列されて設けられ、前記反射層は、前記表示装置の正面方向から見て、その反射層が設けられた領域に対応する前記非表示領域の前記表示領域側の内周縁に平行な方向を長手方向として延在し、前記内周縁から前記非表示領域の外周縁側へ向かう方向に配列され、前記光学部材の厚み方向及び前記反射層の配列方向に平行な前記光学部材の断面において、前記表示部側の端部が観察者側の端部よりも前記光学部材の中央側に位置するように傾斜していること、を特徴とする表示装置（１０）である。
第７の発明は、第６の発明の表示装置において、前記反射層（２３２）は、前記光学部材（２００）の厚み方向及び前記反射層の配列方向に平行な前記光学部材の断面において、前記表示領域の法線方向に対してなす角度が、前記反射層の配列方向に沿って前記内周縁側から前記外周縁側へ向かうにつれて大きくなること、を特徴とする表示装置（１０）である。
第８の発明は、第６又は第７の発明の表示装置において、前記反射層（２３２）は、前記光学部材（２００）の厚み方向及び前記反射層の配列方向に平行な前記光学部材の断面において、前記反射層の配列方向の前記内周縁側に凸となるように湾曲していること、を特徴とする表示装置（１０）である。
第９の発明は、第６から第８の発明までのいずれかの表示装置において、前記表示領域（１１０）は、その法線方向から見た形状が矩形形状であり、前記光学部材（２００）は、観察者側表面であって少なくとも複数の前記反射層（２３２）を被覆する領域の一部に、観察者側に凸となる複数の単位レンズ（２６１）が前記反射層の長手方向に沿って延在し、前記反射層の配列方向に平行な方向に配列されていること、を特徴とする表示装置（１０）である。
第１０の発明は、第６から第９の発明までのいずれかの表示装置において、前記光学部材を保持する保持部（６００）が、前記非表示領域（１２０）の少なくとも一部に設けられていること、を特徴とする表示装置（１０）である。
【発明の効果】
【０００９】
本発明によれば、表示画面の周縁部に位置する非表示領域が視認されにくい配列型表示装置及び表示装置を提供できる。
【図面の簡単な説明】
【００１０】
【図１】第１実施形態の配列型表示装置１を説明する図である。
【図２】第１実施形態の表示装置１０の表示部１００及び光学部材２００について説明する図である。
【図３】第１実施形態の表示装置１０の表示部１００及び光学部材２００について説明する図である。
【図４】第１実施形態の配列型表示装置１の断面の一部を示す図である。
【図５】第２実施形態の配列型表示装置２を説明する図である。
【図６】第３実施形態の配列型表示装置３の断面の一部を示す図である。
【図７】第４実施形態の配列型表示装置４の断面の一部を示す図である。
【図８】変形形態の配列型表示装置５の断面の一部を示す図である。
【図９】角部の反射層２３２の変形形態を示す図である。
【図１０】光学部材２００の変形形態を示す図である。
【図１１】配列型表示装置の変形形態を説明する図である。
【発明を実施するための形態】
【００１１】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
また、本明細書中に記載する各部材の寸法等の数値及び材料名等は、実施形態としての一例であり、これに限定されるものではなく、適宜選択して使用してよい。
【００１２】
また、本明細書中において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
また、本明細書中において、シート面とは、シート状の部材において、そのシート全体として見たときにおける、シートの平面方向となる面を示すものであるとする。なお、板面やフィルム面についても同様とする。
【００１３】
（第１実施形態）
図１は、第１実施形態の配列型表示装置１を説明する図である。
図１（ａ）は、配列型表示装置１の斜視図であり、図１（ｂ）は、図１（ａ）に示す矢印Ａ１−Ａ２に沿って配列型表示装置１の厚み方向に平行に切断した断面を示した図である。
ここで、図１を含む以下の各図において、適宜、ＸＹＺ直交座標系を用いている。この配列型表示装置１の画面左右方向をＸ方向、画面上下方向をＹ方向、厚み方向（奥行き方向）をＺ方向とし、観察者から見て、画面左右方向の右側を＋Ｘ側、画面上下方向の上側を＋Ｙ側、厚み方向において観察者側を＋Ｚ方向とする。
また、理解を容易にするために、後述する表示装置１０（光学部材２００及び表示部１００）において、映像を表示する表示領域１１０の中央側（画面中央側、光学部材２００の中央側）を内側とし、非表示領域１２０の外周縁側を外側と呼ぶこととする。
【００１４】
配列型表示装置１は、表示装置１０が、複数隣接して配列され、大画面を形成している表示装置である。
本実施形態では、４つの表示装置１０（１０Ａ〜１０Ｄ）が、その映像を表示可能な表示面が１つの平面上に位置するようにして、互いに隣接して配列されている。
また、本実施形態の４つの表示装置１０（１０Ａ〜１０Ｄ）は、縦横、すなわち、使用状態における配列型表示装置１の画面上下方向（Ｙ方向）及び画面左右方向（Ｘ方向）に２つずつ隣接して配列されており、観察者側（＋Ｚ側）から見てその形状は矩形状である。
なお、配列型表示装置１を形成する表示装置１０の数は、所望される画面サイズの大きさ等に伴い変更可能であり、４つに限らず、２つとしてもよいし、６つや８つ、９つ等としてもよい。
【００１５】
図２及び図３は、第１実施形態の表示装置１０の表示部１００及び光学部材２００について説明する図である。
図２（ａ）は、光学部材２００の平面図を示し、図２（ｂ）は、表示部１００の平面図を示している。また、図３（ａ）は、光学部材２００の画面左右方向及び厚み方向（Ｘ方向及びＺ方向）に平行な断面図であり、図３（ｂ）は、図３（ａ）の一部を拡大して示した図であり、図３（ｃ）は、表示部１００の画面左右方向及び厚み方向（Ｘ方向及びＺ方向）に平行な断面図を示している。
なお、理解を容易にするために、図２及び図３では、代表として１つの表示装置１０における表示部１００及び光学部材２００を示しているが、配列型表示装置１として配列された他の３つの表示装置１０についても、同様の形状を有している。
【００１６】
表示装置１０は、映像を表示する表示部１００と、表示部１００の観察者側（＋Ｚ側）に配置され、この表示部１００を被覆する光学部材２００とを有している。
表示部１００は、映像を表示可能な表示面（画面）となる表示領域１１０と、表示領域１１０の周囲に位置し、枠部材や配線、電極部等によって映像を表示できない非表示領域１２０とを有する。
本実施形態の表示領域１１０は、観察者側（＋Ｚ側）から見て略矩形状である。また、非表示領域１２０は、観察者側（＋Ｚ側）から見て、表示領域１１０の外側に隣接してその周囲（四辺）を囲むように、等幅で位置している。
この表示部１００は、プラズマ表示装置、液晶表示装置、有機ＥＬ表示装置（有機ＬＥＤ表示装置）等としてもよいし、背面投射型表示装置としてもよい。
【００１７】
本実施形態では、４つの表示装置１０（１０Ａ〜１０Ｄ）が、各表示領域１１０の表示面（観察側表面）が１つの平面上に位置するようにして、互いに隣接して配列されている。また、各表示装置１０において、その表示面は、配列型表示装置１の厚み方向（奥行き方向）に垂直である。
【００１８】
本実施形態の表示装置１０において、光学部材２００と表示部１００とは、接合層３００（図１（ｂ）参照）により一体に接合されている。
本実施形態では、一例として、接合層３００は、非表示領域１２０の観察者側のみに設けられており、表示領域１１０と光学部材２００との間には空気層４００が設けられている。この場合、接合層３００の屈折率や光透過性に関しては、特に制限等はない。また、この場合、接合層３００は、接着剤や粘着剤により形成してもよいし、両面に粘着性を有する粘着テープ等を用いてもよい。さらに、接合層３００を備えず、不図示の支持部材で光学部材２００と表示部１００とがその周囲を支持され、一体に固定されている形態としてもよい。
また、これに限らず、例えば、接合層３００は、非表示領域１２０及び表示領域１１０の観察者側全面に形成されている形態としてもよい。この場合、接合層３００は、接着剤又は粘着剤により形成され、光透過性が高く、光学部材２００と屈折率が等しく（もしくは、屈折率差が無いとみなせる程度に小さく）、光学的に等価であることが好ましい。
【００１９】
光学部材２００は、表示部１００の観察者側（＋Ｚ側）に配置された透明なシート状の部材である。
光学部材２００は、各表示装置１０において、それぞれの表示部１００に対応するように配置されている。また、配列型表示装置１（表示装置１０）の画面の正面方向から見て、光学部材２００の大きさは、対応する表示部１００の大きさに一致しており、表示部１００を観察者側から被覆している。
この光学部材２００は、図１等に示すように、縦横（使用状態における配列型表示装置１の画面上下方向及び画面左右方向）に２つずつ、合計４枚が、隣接して配列されており、隣接部において各側面が接している。
【００２０】
光学部材２００は、図２に示すように、光学部材２００のシート面に直交する方向（＋Ｚ側）から見て、表示部１００の表示領域１１０に対応する領域となる透光領域２１０と、非表示領域１２０に対応する領域となる反射領域２２０とを有している。本実施形態では、反射領域２２０は、透光領域２１０の外側を囲むように位置している。
反射領域２２０には、光学部材２００の厚み方向において、観察者側（＋Ｚ側）表面近傍に、反射層部２３０が設けられている。
反射層部２３０より表示部１００側の部分や透光領域２１０は、本体部２４０となっている。また、光学部材２００の観察者側最表面には、表面層２５０が設けられている。
【００２１】
本体部２４０は、光透過性が高いシート状の部材であり、反射層部２３０に相当する領域には、単位光学形状２３１が複数配列されている。
単位光学形状２３１は、観察者側に凸となる略三角柱形状であり、単位光学形状２３１が設けられた反射領域２２０の長手方向（観察者側から見て、その単位光学形状２３１が設けられた反射領域２２０が対応する非表示領域１２０の長手方向）に平行な方向を長手方向とし、単位光学形状２３１が設けられた反射領域２２０の幅方向（観察者側から見て、その単位光学形状２３１が設けられた反射領域２２０が対応する非表示領域１２０の幅方向）に沿って複数配列されている。
単位光学形状２３１は、図３（ｂ）に示すように、その配列方向及び光学部材２００の厚み方向に平行な断面形状が略三角形形状であり、内側に位置する第１の面２３１ａと、第１の面２３１ａに対向する面であって外側に位置する第２の面２３１ｂとを有している。
【００２２】
図３（ｂ）に示す断面において、第１の面２３１ａが光学部材２００のシート面に垂直な方向（Ｚ方向）となす角度は、θである。また、単位光学形状２３１の配列ピッチはＰである。
本実施形態では、同一の形状の単位光学形状２３１がその配列方向に沿って配列されており、単位光学形状２３１の配列方向において、角度θ及び配列ピッチＰは、一定である。
【００２３】
本体部２４０は、例えば、ポリカーボネート（ＰＣ）樹脂、アクリル系樹脂、スチレン樹脂、オレフィン系樹脂、ガラス、セラミック等を用いて形成することが好適である。また、本体部２４０は、これらの材料を用いた射出成形法、キャスト成形法等や、前述の材料により形成された板材を切削する切削法等により形成することが可能である。
【００２４】
反射層部２３０は、入射した光の少なくとも一部を反射する機能を有する反射層２３２が複数形成された部分である。本実施形態では、反射層部２３０は、光学部材２００を観察者側の正面方向から見て、光学部材２００の上下端部及び左右端部及び角部に位置している。
また、本実施形態では、反射層部２３０の幅は、正面方向から見て、非表示領域１２０の幅と同じである。しかし、これに限らず、反射層部２３０の幅が非表示領域１２０の幅よりもやや大きい形状、すなわち、反射層部２３０の内側の一部が、表示領域１１０にかかる形態としてもよい。すなわち、反射層部２３０は、非表示領域１２０を少なくとも被覆することが好ましい。
【００２５】
反射層２３２は、入射した光の少なくとも一部を反射する層である。
反射層２３２は、その反射層２３２設けられている反射領域２２０が対応する非表示領域１２０の内周縁（表示領域１１０側の周縁）に平行な方向を長手方向として延在し、この内周縁から非表示領域１２０の外周縁側へ向かう方向に複数配列されている。したがって、反射層２３２の長手方向は、その反射層２３２が設けられている反射領域２２０（反射層部２３０）の長手方向（観察者側から見て、その反射層２３２が設けられた反射領域２２０が対応する非表示領域１２０の長手方向）に平行であり、配列方向は、その反射層２３２が設けられた反射領域２２０（反射層部２３０）の幅方向（観察者側から見て、その反射層２３２が設けられた反射領域２２０が対応する非表示領域１２０の幅方向）に平行である。
また、反射層２３２は、図３（ｂ）に示すように、その配列方向及び光学部材２００の厚み方向に平行な断面おいて、内側となる端部が表示部１００側（−Ｚ側）に位置し、外側となる端部が観察者側（＋Ｚ側）に位置するように傾斜している。
【００２６】
本実施形態の反射層２３２は、上述の単位光学形状２３１の第１の面２３１ａに沿って形成されている。したがって、反射層２３２の配列方向及び光学部材２００の厚み方向に平行な断面おいて、反射層２３２が光学部材２００のシート面に垂直な方向（Ｚ方向）となす角度は、θであり、反射層２３２の配列ピッチはＰであり、反射層２３２の配列方向において、角度θ及び配列ピッチＰは一定である。
なお、本実施形態では、図３等において、反射層２３２は、６つ配列されている形態を示しているが、これに限らず、反射層２３２が配列される数は、非表示領域１２０の幅（反射領域２２０の幅）や反射層２３２の角度θ等に応じて適宜選択してよい。
【００２７】
角部の非表示領域１２０に対応する反射層部２３０について説明する。
角部の非表示領域１２０に対応する反射層部２３０（角部の反射層部２３０）は、本実施形態では、図２（ａ）に示すように、反射層２３２が、隣接する領域の画面上下方向を長手方向とする反射層２３２や画面左右方向を長手方向とする反射層２３２に対して、その長手方向が角度をなすように形成されている。本実施形態では、角部の反射層２３２は、Ｘ方向を長手方向とする反射層２３２に対して４５°をなし、Ｙ方向を長手方向とする反射層２３２に対して４５°をなす方向を長手方向としている。なお、この角度は適宜変更してもよい。
【００２８】
また、本実施形態では、角部の反射層２３２は、他の領域の反射層２３２と同様に、光学部材２００のシート面に垂直な方向（Ｚ方向）に対して角度θをなし、表示部１００側（−Ｚ側）に位置する端部が観察者側（＋Ｚ側）に位置する端部よりも内側に位置するように傾斜している。また、角部の反射層２３２の配列ピッチは、他の分と同様に、Ｐであり、そのため、角部の反射層２３２は、その数が隣接する他の領域よりも多くなっている。
【００２９】
反射層２３２は、光反射率の高い金属、例えば、アルミニウム、銀、ニッケル等により形成された薄膜とすることが好ましい。また、反射層２３２は、入射した光の一部を反射し、一部を透過するハーフミラーとすることが好ましい。本実施形態の反射層２３２は、アルミニウムを蒸着することにより形成されたハーフミラーとなっている。
なお、反射層２３２は、これに限らず、例えば、光反射性の高い金属をスパッタリングする等により形成されてもよい。また、反射層２３２は、誘電体多層膜を蒸着する等により形成されてもよい。また、反射層２３２は、ハーフミラーではなく、透過光が生じない形態としてもよい。
さらに、反射層２３２は、例えば、単位光学形状２３１や表面層２５０よりも屈折率が低く、かつ、透光性を有する低屈折率樹脂により形成してもよいし、空気により形成してもよい。
【００３０】
表面層２５０は、光学部材２００の観察者側表面を被覆する層である。この表面層２５０は、単位光学形状２３１及び反射層２３２が形成され凹凸形状を有する反射領域２２０と、透光領域２１０とが面一となるように、本体部２４０の観察者側（＋Ｚ側）に塗布されて形成されている。したがって、反射領域２２０においては、表面層２５０の表示装置側（−Ｚ側）は、単位光学形状２３１の凹凸を充填する形態となっている。
表面層２５０は、光透過性が高い材料によって形成されることが好ましく、かつ、前述の本体部２４０との屈折率差がない（もしくは、屈折率差がないとみなせる程度に小さい）ことが好ましい。このような表面層２５０の材料としては、前述の本体部２４０の材料と同じものが好適である。本実施形態では、表面層２５０は、本体部２４０と同じ樹脂により形成されている。
なお、表面層２５０は、反射領域２２０と透光領域２１０とが面一となるならば、光学部材２００の全面に限らず、反射領域２２０のみ（反射層２３２及び単位光学形状２３１の観察者側）に設ける形態としてもよい。
【００３１】
図４は、第１実施形態の配列型表示装置１の断面の一部を示す図である。この図４では、図１に示すＡ１−Ａ２ラインに沿って配列型表示装置１の厚み方向に平行に切断した断面において、配列型表示装置１の外側（−Ｘ側）の端部を拡大して示している。また、理解を容易にするために、表示装置１０の構成に関しては簡略化して示している。図４中において、図面内左側が外側であり、右側が内側（画面中央側）である。
なお、図４においては、表示部１００及び光学部材２００の４つの辺のうち、１つの辺の断面のみを示しているが、他の３辺においても同様の形状である。
【００３２】
図４に示す断面において、非表示領域１２０の幅をＷとし、表示装置１０の厚み方向における非表示領域１２０の表面から反射層部２３０の表示部１００側（−Ｚ側）端部までの寸法をＤとすると、寸法Ｄは、Ｗ≦Ｄ≦３×Ｗを満たすことが好ましい。
寸法ＤがＤ＜Ｗである場合には、反射層部２３０に入射する光量が少なく、十分に非表示部を目立たなくすることができない。また、寸法ＤがＤ＞３×Ｗである場合には、光学部材２００の厚みが増大し、重量も増大するため、好ましくない。したがって、寸法Ｄは、上記範囲を満たすことが好ましい。
【００３３】
ここで、図４を参照しながら、表示部１００の表示領域１１０から出射し、光学部材２００に入射する光（映像光）について説明する。
表示領域１１０の中央部等から正面方向観察者側（＋Ｚ側）に出射する光Ｌ１は、光学部材２００に入射してこれを透過し、透光領域２１０から正面方向へ出射する。
また、表示領域１１０の外側の領域（非表示領域１２０に隣接する領域）Ｓから画面外側へ斜めに出射し、光学部材２００に入射する光Ｌ２は、少なくとも一部が、反射層部２３０に入射し、反射層２３２で反射して、正面方向（＋Ｚ側）又は正面方向となす角度が小さい方向へ出射する。
このため、この表示装置１０を観察者側（＋Ｚ側）の正面方向から観察すると、非表示領域１２０に相当する反射領域２２０にも映像が表示され、光学部材２００全体に画像が表示されているように観察され、非表示領域１２０が視認されにくくなる。
【００３４】
なお、図４及び上述の説明では、表示装置１０の画面左右方向の一方の端部を例に挙げて説明したが、これに対向する他方の端部や、画面上下方向の両端部においても、同様に、非表示領域１２０が視認されにくくなる。また、角部においても、上述のように、外側へ出射する光が反射層２３２によって反射されて正面方向へ向かい、角部の非表示領域１２０が視認されにくくなる。
【００３５】
よって、本実施形態によれば、配列型表示装置１として表示装置１０を配列して大画面化した場合にも、表示領域１１０間の非表示領域１２０（表示装置１０間の継目部分、目地部分）を視認されにくくすることができる。
また、これにより、表示領域１１０間での映像の連続性を向上させることができ、配列型表示装置１としての画質をさらに向上させることができる。
また、本実施形態によれば、配列型表示装置１としての観察者側表面は平面状であり、レンズ形状等の凹凸形状が設けられていないので、意匠性を向上させることができる。
【００３６】
さらに、本実施形態によれば、１対の表示部１００及び光学部材２００を備える表示装置１０単体としての使用も可能であり、このような形態とした場合にも、非表示領域１２０が視認されにくく、画像表示領域の大きな表示装置１０とすることができ、映像への没入感等を向上できる。このような表示装置１０単体で使用される形態としては、スマートフォンやタブレット等に適用することができ、これらの意匠性の向上等を図ることができる。
また、本実施形態によれば、非表示領域１２０を峡幅化することなく、その幅を確保できるので、表示装置１０としての強度を維持できる。さらに、非表示領域１２０が視認されにくくなるので、より表示装置１０としての外観がすっきりした印象になり、意匠性を向上させることができる。また、表示装置１０としての観察者側表面は平面状であり、レンズ形状等の凹凸形状が設けられていないので、意匠性を向上させることができる。
【００３７】
（第２実施形態）
図５は、第２実施形態の配列型表示装置２を説明する図である。図５（ａ）は、配列型表示装置２の断面の一部を拡大して示しており、この図５（ａ）に示す配列型表示装置２の断面は、第１実施形態の図４に示す配列型表示装置１の断面に相当する。図５（ｂ）は、図５（ａ）に示す断面における反射層部２３０を拡大して示している。
第２実施形態の配列型表示装置２は、反射層２３２の角度θが配列方向に沿って変化する点以外は、前述の第１実施形態の配列型表示装置１と同様の形態である。したがって、第２実施形態において、前述した第１実施形態と同様の機能を果たす部分には、同一の符号又は末尾に同一の符号を付して、重複する説明を適宜省略する。なお、後述する第３〜第５実施形態においても同様に、前述した第１実施形態と同様の機能を果たす部分には、同一の符号又は末尾に同一の符号を付して、重複する説明を適宜省略する。
【００３８】
第２実施形態の光学部材２００は、反射層２３２が光学部材２００のシート面に垂直な方向（Ｚ方向）となす角度θが、配列方向において内側から外側へ向かうにつれて大きくなっている。すなわち、反射層２３２は、反射層部２３０（反射領域２２０）の内側から外側へ向かうにつれて、より外側に傾斜した形態となっている。
角部の反射層部２３０の反射層２３２についても同様に、角部の内側から外側に向かうにつれて、反射層２３２の角度θは大きくなっている。
【００３９】
ここで、図５を参照しながら、表示部１００の表示領域１１０から出射し、光学部材２００に入射する光（映像光）について説明する。
表示領域１１０の中央部等から正面方向観察者側（＋Ｚ側）に出射する光Ｌ１については、前述の第１実施形態と同様である。
表示領域１１０の外周側の領域（非表示領域１２０に隣接する領域）Ｓから画面外側へ斜めに出射し、光学部材２００に入射する光Ｌ３は、少なくとも一部が、反射層部２３０に入射し、反射層２３２で反射して、正面方向（＋Ｚ側）へ出射する。
これにより、表示部１００及び光学部材２００を観察者側の正面方向（＋Ｚ側）から観察すると、非表示領域１２０に相当する反射領域２２０にも映像が表示され、光学部材２００全体に画像が表示されているように観察され、非表示領域１２０が視認されにくくなる。
【００４０】
また、このとき、反射層２３２で反射して正面方向へ向かう光は、内側の反射層２３２に入射する光よりも外側の反射層２３２に入射する光の方が、反射層２３２への入射時に光学部材２００の板面に直交する方向（Ｚ方向）となす角度が大きくなっている。そして、表示領域１１０から斜めに出射して反射層部２３０に入射する光が出射する領域Ｓは、非表示領域１２０の幅Ｗよりも狭い。すなわち、反射領域２２０では、非表示領域１２０に隣接する領域Ｓから出射した映像が、拡大されて表示される。
なお、表示装置１０の画面左右方向の他方側端部や画面上下方向の両端部、角部においても、上述のように、外側へ出射する光が反射層２３２によって反射されて正面方向へ向かい、角部の反射領域２２０に拡大して表示され、非表示領域１２０が視認されにくくなる。
【００４１】
したがって、本実施形態によれば、第１実施形態と同様に、表示領域１１０の周縁部に位置する非表示領域１２０が視認されにくい表示装置１０及び配列型表示装置２とすることができ、表示装置１０及び配列型表示装置２の意匠性を向上できる。
また、本実施形態によれば、反射領域２２０には、非表示領域１２０に隣接する領域Ｓの表示領域１１０の映像が拡大されて表示されることにより、表示領域１１０間の映像の連続性がより向上する。
【００４２】
（第３実施形態）
図６は、第３実施形態の配列型表示装置３の断面の一部を示す図である。この図６に示す配列型表示装置３の断面は、第１実施形態の図４に示す配列型表示装置１の断面に相当する。
第３実施形態の配列型表示装置３は、光学部材２００の反射領域２２０の形状が異なる点以外は、前述の第１実施形態の配列型表示装置１と同様の形態である。
【００４３】
第３実施形態の光学部材２００は、画面左右方向両端部に位置する反射領域２２０の観察者側表面に、単位レンズ２６１が複数配列されている。この単位レンズ２６１は、画面上下方向の両端部に位置する反射領域２２０の観察者側表面には形成されていない。
この単位レンズ２６１は、円柱の一部形状であり、配列方向及び長手方向は、反射層２３２の配列方向及び長手方向に等しい。単位レンズ２６１は、その配列方向及び光学部材２００の厚み方向に平行な断面における断面形状が円弧状である。すなわち、本実施形態の光学部材２００は、表示装置１０の画面左右方向両端部に位置する反射領域２２０の観察者側の表面にレンチキュラーレンズ形状が形成されている形態となっている。
【００４４】
なお、単位レンズ２６１が形成される領域の幅は、少なくとも反射層部２３０と同じであることが好ましく、反射層部２３０の幅より少し大きくてもよい。また、単位レンズ２６１のレンズ幅や配列ピッチ、曲率半径等は、所望する光学性能等に応じて、適宜設定してよい。
また、角部の非表示領域１２０に対応する反射層部２３０（角部の反射層部２３０）においては、単位レンズ２６１は、その長手方向及び配列方向が、角部の反射層２３２の長手方向及び配列方向に平行な方向に形成されている。
【００４５】
なお、単位レンズ２６１は、その配列方向及び光学部材２００の厚み方向に平行な断面における断面形状が楕円の一部形状や長円の一部形状としてもよいし、三角形形状等の多角形形状としてもよい。また、単位レンズ２６１は、正面方向から見た形状が円や楕円や多角形形状であり、これが２方向に沿って配列されるレンズアレイ形状としてもよい。また、光学部材２００の観察者側表面に微細な凹凸形状が形成されたマット形状を設けてもよい。
【００４６】
単位レンズ２６１は、例えば、表面層２５０を形成する樹脂を塗付した後に、その観察者側に単位レンズ２６１の形状を賦形する賦形型等を、画面左右方向両端部に位置する反射領域２２０上に相当する位置に押圧しながら樹脂を硬化させる等により、形成してもよいし、単位レンズ２６１が配列されたシート状の部材を、画面左右方向両端部に位置する反射領域２２０上に貼合して設けてもよい。
【００４７】
ここで、図６を参照しながら、表示部１００の表示領域１１０から出射し、光学部材２００に入射する光（映像光）について説明する。
表示領域１１０の中央部等において、正面方向観察者側（＋Ｚ側）に出射する光Ｌ１については、前述の第１実施形態と同様である。また、表示領域１１０の中央部等において斜め方向に出射する光Ｌ４は、光学部材２００に入射してこれを透過し、透光領域２１０から斜め方向へ出射する。
表示領域１１０の外周側の領域（非表示領域１２０に隣接する領域）から画面外側へ斜めに出射し、光学部材２００に入射する光Ｌ５は、少なくとも一部が、反射層部２３０に入射し、反射層２３２で反射して、正面方向（＋Ｚ側）又は正面方向に対して小さい角度をなす方向へ向かう。そして、単位レンズ２６１に入射し、一部は画面左右方向へ適宜拡散されて出射し、一部は正面方向へ出射する。
なお、画面上下方向の両端部に位置する反射領域２２０では、単位レンズ２６１が形成されていないので、反射層部２３０の反射層２３２で反射した光は、主に正面方向へ出射する。
【００４８】
このため、表示部１００及び光学部材２００を観察者側の正面方向（＋Ｚ側）から観察すると、非表示領域１２０に相当する反射領域２２０にも映像が視認され、光学部材２００全体に画像が表示されているように観察され、非表示領域１２０が視認されにくくなる。また、画面左右方向において、正面方向と角度をなす方向（斜め方向）から観察した場合にも、非表示領域１２０に相当する反射領域２２０にも映像が視認され、非表示領域１２０が視認されにくくなる。
また、表示装置１０の画面上下方向の両端部や角部においても、上述のように、外側へ出射する光が反射層２３２によって反射されて正面方向へ向かい、角部の非表示領域１２０が視認されにくくなる。
【００４９】
さらに、一般的に、映像表示装置では、画面左右方向の視野角が、画面上下方向の視野角よりも重要視され、広く設定されることが多い。これに伴い、画面左右方向に配列された表示領域１１０間の非表示領域１２０や、画面左右方向の両端部の非表示領域１２０は、画面上下方向に配列された表示領域１１０間の非表示領域１２０に比べて、より積極的に視認されにくくしたいという要望がある。本実施形態では、このような要望にも対応することができる。
【００５０】
よって、本実施形態によれば、第１実施形態と同様に、表示領域１１０の周縁部に位置する非表示領域１２０が視認されにくい表示装置１０及び配列型表示装置３とすることができる。
また、本実施形態によれば、単位レンズ２６１によって画面左右方向に映像光を拡散することができ、斜め方向（画面左右方向において、正面方向に対して角度をなす方向）から配列型表示装置３を観察した場合にも、非表示領域１２０を視認し難くすることができる。
【００５１】
（第４実施形態）
図７は、第４実施形態の配列型表示装置４の断面の一部を示す図である。この図７に示す配列型表示装置４の断面は、第１実施形態の図４に示す配列型表示装置１の断面に相当する。
第４実施形態の配列型表示装置４は、光学部材２００の反射層部２３０の反射層２３２の形状が異なる点以外は、前述の第１実施形態の配列型表示装置１と同様の形態である。
【００５２】
第４実施形態の反射層２３２は、その配列方向及び光学部材２００の厚み方向（Ｚ方向）に平行な断面において、配列方向の内側（表示領域１１０の中央側）に凸となるように湾曲した形状を有している。本実施形態では、この湾曲形状の曲率半径は、反射層２３２の配列方向において一定である例を示しているが、配列方向に沿って外側に向かうにつれて曲率半径が次第に又は段階的に大きくなる形態としてもよい。
このとき、単位光学形状２３１の第２の面２３１ｂ（反射層２３２が形成されない側の面）については、平面状としてもよいし、第１の面２３１ａと同じ又は異なる曲率半径を有する凸曲面状としてもよいし、その形状については特に限定しない。
【００５３】
ここで、図７を参照しながら、表示部１００の表示領域１１０から出射し、光学部材２００に入射する光（映像光）について説明する。
表示領域１１０の中央部等において、正面方向観察者側（＋Ｚ側）に出射する光Ｌ１や、表示領域１１０の中央部等において斜め方向に出射する光Ｌ４については、前述の通りである。
表示領域１１０の外周側の領域（非表示領域１２０に隣接する領域）から画面外側へ斜めに出射し、光学部材２００に入射する光Ｌ６は、少なくとも一部が、反射層部２３０に入射し、反射層２３２で反射して、反射層２３２の配列方向において適宜拡散されて出射し、一部は正面方向へ出射する。
【００５４】
このため、表示部１００及び光学部材２００を観察者側の正面方向（＋Ｚ側）から観察すると、非表示領域１２０に相当する反射領域２２０にも映像が視認され、光学部材２００全体に画像が表示されているように観察され、非表示領域１２０が視認されにくくなる。また、斜め方向から観察した場合にも、非表示領域１２０に相当する反射領域２２０にも映像が視認され、非表示領域１２０が視認されにくくなる。
また、表示装置１０の画面上下方向の両端部や角部においても、上述のように、外側へ出射する光が反射層部２３０によって反射及び拡散され、非表示領域１２０が視認されにくくなる。
【００５５】
よって、本実施形態によれば、第１実施形態と同様に、表示領域１１０の周縁部に位置する非表示領域１２０が視認されにくい表示装置１０及び配列型表示装置４とすることができる。また、その意匠性を向上することができる。
また、本実施形態によれば、反射層２３２の湾曲形状により、映像光を拡散することができ、斜め方向（正面方向に対して画面左右方向や画面上下方向において角度をなす方向）から配列型表示装置４を観察した場合にも、非表示領域１２０を視認し難くすることができる。
【００５６】
（変形形態）
以上説明した各実施形態に限定されることなく、種々の変形や変更が可能であって、それらも本発明の範囲内である。
（１）各実施形態において、反射層部２３０の幅は、非表示領域１２０の幅より大きく、正面方向から見て一部が表示領域１１０上に重複する形態としてもよい。
【００５７】
（２）各実施形態において、本体部２４０の観察者側表面を平面状とし、本体部２４０とは別体の反射層部２３０を形成し、本体部２４０の反射領域２２０に適宜接合する形態としてもよい。また、各実施形態において、反射層部２３０が本体部２４０の透光領域２１０の観察者側表面よりも観察者側（＋Ｚ側）に凸となるように形成されていてもよい。
さらに、各実施形態において、表面層２５０を接着剤又は粘着剤等により形成し、表面層２５０よりも観察者側に、光学部材２００を保護する保護シート等を貼合する形態としてもよい。
【００５８】
（３）各実施形態において、各単位光学形状２３１は、その配列方向に互いに隣接して配列される形態を示したが、これに限らず、配列方向において、単位光学形状２３１が離間して配置され、隣り合う単位光学形状２３１の間に平坦部が形成される形態としてもよい。
【００５９】
（４）各実施形態において、反射層２３２Ｐの配列ピッチが、その配列方向に沿って変化する形態としてもよい。このような形態とすることにより、より効果的に、非表示部を視認され難くすることができる。
【００６０】
（５）各実施形態において、光学部材２００は、非表示領域１２０に設けられた保持部６００によって保持される形態としてもよい。
図８は、変形形態の配列型表示装置５の断面の一部を示す図である。この図８に示す変形形態の配列型表示装置５の断面は、第１実施形態の図４に示す配列型表示装置１の断面に相当する。
この変形形態の配列型表示装置５は、表示部１００が光学部材２００を保持する保持部６００を備える点が、前述の第１実施形態とは異なる以外は、第１実施形態の配列型表示装置１と同様の形態である。
【００６１】
表示部１００は、非表示領域１２０に、光学部材２００を保持する保持部６００を備えている。
図８では、保持部６００は、表示部１００の画面左右方向両端部及び画面上下方向の両端部に位置する非表示領域１２０の外側端部に、光学部材２００側（＋Ｚ側）に凸となるように設けられ、保持部６００の先端部に設けた凸部６０１に光学部材２０に設けられた凹部（切欠き）が係合する等により、光学部材２００を保持部６００が保持する形態を示している。
保持部６００は、非表示領域１２０内（すなわち、反射層部２３０が設けられる反射領域２２０に相当する領域内）に設けられることが好ましい。このような表示部１００側の映像光の通過しない領域に保持部６００を配置することにより、反射層部２３０による非表示領域１２０を視認し難くする効果によって、保持部６００が視認されにくくなる。
【００６２】
なお、保持部６００の設けられる形状、数等は、適宜選択してよいし、非表示領域１２０への取り付け方法等も適宜選択してよい。
また、保持部６００は、凸部６０１と光学部材２０の凹部（切欠き）とが係合する形態を例を挙げて説明したが、これに限らず、保持部６００の表面に設けられた不図示の接着層によって、光学部材２００を接着して保持している形態としてもよく、光学部材２００を保持する機構や形態は、適宜選択してよい。
【００６３】
なお、保持部６００は、黒色等の暗色系である非表示領域１２０と同色又は同系色としてもよいし、異なる色としてもよい。さらに、その表面が光を少なくとも一部反射する機能を有する形態としてもよい。
【００６４】
このような形態とすることにより、保持部６００によって光学部材２００をしっかり保持でき、その位置を決めて固定することができるので、使用時の光学部材２００のずれ等を大幅に抑制できる。
また、このような形態とすることにより、保持部６００を上述のように映像光の通過しない領域に配置し、反射層２３２による非表示領域を視認し難くする効果によって保持部６００をより視認されにくくすることができる。
【００６５】
（６）図９は、角部の反射層２３２の変形形態を示す図である。図９は、角部の反射層部２３０を観察者側から見た様子を示している。
各実施形態において、非表示領域１２０の角部の反射層２３２の配列方向や長手方向等は、適宜選択して設定してよい。
例えば、図９（ａ）に示すように、角部の反射層２３２に関しても、画面上下端部や画面左右端部の反射層部２３０の反射層２３２が延在する形態としてもよい。
また、例えば、図９（ｂ）に示すように、角部の反射層２３２は、光学部材２００の正面方向から見て外側に凸となるような円弧状である形態としてもよい。
【００６６】
（７）各実施形態において、光学部材２００の側面２８０は、表示領域１１０の表示面（観察者側の表面）に垂直な平面状である例を示したが、これに限らず、曲面状としてもよいし、複数の平面等を組み合わせて形成される形状としてもよい。また、側面２８０には、反射層等を形成してもよい。
図１０は、光学部材２００の変形形態を示す図である。
例えば、図１０（ａ）に示すように、光学部材２００の側面２８０に、光を反射可能な反射層７００を形成してもよい。このような形状とすることにより、側面２８０に入射する光が反射され、一部が反射層部の反射層２３２間を透過したり、一部が反射層２３２で反射したりして観察者側へ出射するので、非表示領域（継目部分）１２０を視認されにくくすることができる。
この反射層７００は、側面２８０側の面に凹凸形状を有する形態としてもよい。このような形状とした場合には、側面２８０に入射する光が拡散反射されるため、側面２８０で反射されて反射層部から出射する光の量を増大させ、非表示領域（継目部分）１２０を視認されにくくすることができる。
【００６７】
また、図１０（ｂ）に示すように、側面２８０の少なくとも一部を斜面２９０としてもよいし、この斜面２９０及び側面２８０に反射層７００を形成してもよい。
さらに、図１０（ｃ）に示すように、側面２８０を曲面状として反射層７００を形成してもよい。
なお、このとき、接合層３００を図１０（ｂ），（ｃ）に示すように形成して、光学部材２００と表示部１００との接合度を高めてもよい。また、反射層７００は、上述のように、側面２８０側の面に凹凸形状を有していてもよいし、側面２８０や斜面２９０が、その表面に凹凸形状を有する形態としてもよい。
このような形状とすることにより、側面２８０及び斜面２９０で反射して、反射層部から出射する光を増やすことができ、非表示領域（継目部分）１２０を視認されにくくすることができる。
【００６８】
（８）第１〜第４実施形態の配列型表示装置１〜４において、光学部材２００は、１枚の板状の部材から形成してもよい。このような形状とすることにより、観察者には映像の表示される表示画面がより１つの画面として認識されやすくなり、画像の連続性をさらに高めることができる。
【００６９】
（９）図１１は、配列型表示装置の変形形態を説明する図である。
各実施形態において、配列型表示装置１〜４は、表示部１００及び光学部材２００を備える表示装置１０が平面状に配列される例を示したが、これに限らず、例えば、図１１に示すように、表示画面が互いに角度をなすように各表示装置を配列してもよい。このような形状とすることにより、配列型表示装置の利便性や意匠性を高め、観察者Ｏに対して、用途や環境に適した画像表示を行うことができる。
【００７０】
（１０）各実施形態において、表示部１００の表示領域１１０の表示面（観察者側の表面）が平面状である例を示したが、これに限らず、表示画面は、円筒面状や球面状等のように曲面状であってもよい。このような形態とする場合、光学部材２００（特に、透光領域２１０）は、表示部１００の表示領域１１０の表示面の形状に追従した形状とすればよい。
【００７１】
（１１）光学部材２００は、適宜所望する光学性能等に応じて、内部に拡散剤を含有する形態としてもよいし、観察者側表面が微細な凹凸形状を有するマット面とする形態としてよい。さらに、光学部材２００の観察者側に、防眩層や、反射防止層、ハードコート層、防汚層、帯電防止層、紫外線吸収層、タッチパネル層等の各種機能を有する層を適宜設けてもよい。
【００７２】
なお、本実施形態及び変形形態は、適宜組み合わせて用いることもできるが、詳細な説明は省略する。また、本発明は以上説明した各実施形態によって限定されることはない。
【符号の説明】
【００７３】
１，２，３，４    配列型表示装置
１０    表示装置
１００    表示部
１１０    表示領域
１２０    非表示領域
２００    光学部材
２１０    透光領域
２２０    反射領域
２３０    反射層部
２３１    単位光学形状
２３２    反射層
２４０    本体部
２５０    表面層
【図１】
2018194699.tif 000003
【図２】
2018194699.tif 000004
【図３】
2018194699.tif 000005
【図４】
2018194699.tif 000006
【図５】
2018194699.tif 000007
【図６】
2018194699.tif 000008
【図７】
2018194699.tif 000009
【図８】
2018194699.tif 000010
【図９】
2018194699.tif 000011
【図１０】
2018194699.tif 000012
【図１１】
2018194699.tif 000013